【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
前立腺炎を治療する装置であって、
治療用バルーンが装着され、患者の前立腺尿道に配置するための経尿道カテーテルであって、前記治療用バルーンは、適所で膨張すると前立腺組織に接触し、前記膨張した治療用バルーン内の圧力を変更して、前記前立腺尿道内で前記膨張した治療用バルーンを繰り返し横方向に所望の距離だけ膨張及び収縮させて前記前立腺に内部マッサージを行うことができるように、前記カテーテルに位置決めされる、経尿道カテーテルと、
前記マッサージと同時に、前記前立腺尿道を加熱して、前記患者の前立腺炎を治療する加熱装置と、
を含む前立腺炎の治療装置。
【請求項２】
請求項１に記載の装置であって、
前記加熱装置が、前記患者の体外で、流体を約４０℃から４７℃の温度まで加熱し、
前記カテーテルは、前記加熱された流体を、少なくとも約２０分間、前記カテーテル内を前記治療用バルーンへと移動させるように構成され配置されている、装置。
【請求項３】
請求項２に記載の装置であって、
前記加熱装置は、前記流体を約４５℃まで加熱し、
前記加熱された流体は、約２０分間から６０分間、前記カテーテル内を前記治療用バルーンへと移動される、装置。
【請求項４】
請求項１に記載の装置であって、
前記カテーテルは、拍動する加熱流体を循環させるための閉鎖された循環流体経路を含む、装置。
【請求項５】
請求項４に記載の装置であって、
前記循環流体経路が、前記カテーテルと、前記カテーテルと流体接続された入口コンジット及び出口コンジットと、前記カテーテルと機能的に関連付けられた加熱器及びポンプ及び温度センサと、を含む閉ループシステムによって形成され、
前記閉ループシステムに追加された流体により、前記治療期間中に所望の間隔で前記治療用バルーン内の圧力が増大する、装置。
【請求項６】
請求項１に記載の装置であって、
前記前立腺尿道を、治療の一部において約５０℃から６０℃の上昇した温度にまで加熱し、その後、治療時間の後続する部分において、約４０℃から４７℃の低減された温度に加熱するように構成されいる、装置。
【請求項７】
請求項６に記載の装置であって、
前記加熱装置は、前記患者の体外で流体を加熱し、前記装置は、前記加熱された流体を前記カテーテルを通じて前記治療用バルーンに移動させるよう構成されている、装置。
【請求項８】
請求項７に記載の装置であって、
該装置は、前記前立腺尿道が、前記治療の開始部において前記上昇された温度に約５分間から１０分間さらされ、その後、前記治療の第２の部分において約４０℃から４５℃の温度に約２０分間から約５０分間さらされるように構成されて配置されている、装置。
【請求項９】
請求項８に記載の装置であって、
前記膨張されたバルーンは、前記治療の前記第２の部分において、圧力が増大される、装置。
【請求項１０】
請求項９に記載の装置であって、
前記バルーンは、毎秒約１周期から５周期の速度で、横方向に、繰り返し膨張及び収縮される、装置。
【請求項１１】
請求項１に記載の装置であって、
前記膨張された治療用バルーンが、前記前立腺尿道内の精丘の上に位置して加熱され、また膨張及び収縮するように大きさを定められる、装置。
【請求項１２】
請求項１に記載の装置であって更に、
前記治療に近い時間に前記患者に治療剤を投与し、治療の成功を容易にする手段を含む、装置。
【請求項１３】
請求項１２に記載の装置であって、
前記治療剤が抗酸化剤を含む、装置。
【請求項１４】
請求項１２に記載の装置であって、
前記治療剤がクェルセチンを含む、装置。
【請求項１５】
請求項１４に記載の装置であって、
前記治療剤が、植物療法剤を含む、装置。
【請求項１６】
請求項１２に記載の装置であって、
前記治療剤が、抗炎症剤を含む、装置。
【請求項１７】
請求項１２に記載の装置であって、
前記治療剤が抗生物質を含む、装置。
【請求項１８】
請求項１２に記載の装置であって、
前記治療剤が、フィナステライド（ｆｉｎａｓｔｅｒｉｄｅ）を含む、装置。
【請求項１９】
患者の前立腺炎を治療する装置であって、
（ａ）患者の尿道に挿入するための、少なくとも１つの伸縮可能な治療用バルーンがカテーテルの一部の周辺部から外側に向けて延びるように配置されて取り付けられたカテーテルと、
（ｂ）流体を所望の温度まで加熱する加熱器であって、加熱された流体が前記カテーテルを通って前記少なくとも１つの伸縮可能治療用バルーンまで移動させる流体循環経路を含む、加熱器と、
（ｃ）前記流体移動に応答して膨張できる前記少なくとも１つの治療用バルーンであって、ここに、膨張した前記治療用バルーンは、適所において、前記前立腺尿道内の径方向に膨張し、周方向に目的とする組織と接触する治療用バルーンと、
（ｄ）前記治療用バルーン内の流体圧力を繰り返し変更し、前記治療用バルーンを所望の距離だけ繰り返し膨張及び収縮させることにより前記前立腺尿道の一部を内部マッサージする手段と、
を含み、
前記内部マッサージと同時に、少なくとも２０分間の治療時間、前記前立腺尿道内の目標領域を約４０℃から４７℃の温度に加熱する、装置。
【請求項２０】
請求項１９に記載の装置において、
前記加熱器は、前記流体を約４５℃まで加熱し、前立腺組織を約２０分間から６０分間加熱する、装置。
【請求項２１】
請求項１９に記載の装置において、
該装置は、前記前立腺尿道の一部を、治療の一部において約５０℃から６０℃の上昇した温度にまで加熱し、その後、治療の残りの部分において、約４０℃から４７℃の低減された温度に加熱する、装置。
【請求項２２】
請求項１９に記載の装置において、
加熱流体が、閉鎖された循環移動経路内を循環される、装置。
【請求項２３】
請求項２１に記載の装置において、
前記前立腺尿道を、前記治療の開始部において約１分間から１０分間、上昇された温度にさらし、その後、前記治療の残りの部分において、約２０分間から５０分間、約４０℃から４５℃の低減された温度にさらす、装置。
【請求項２４】
請求項１９に記載の装置であって、
前記治療用バルーンが、毎秒約１回から５回の割合で、繰り返し膨張及び収縮される、装置。
【請求項２５】
請求項１９に記載の装置であって、
前記膨張された治療用バルーンが、前記前立腺尿道内の精丘の上に位置するように、大きさを定めらる、装置。
【請求項２６】
請求項１９に記載の装置であって、更に、
前記熱マッサージ治療と近い時間に前記患者に治療剤を投与して前立腺炎の治療の成功を容易にする手段、を含む装置。
【請求項２７】
請求項２６に記載の装置において、
前記治療剤が抗酸化剤を含む、装置。
【請求項２８】
請求項２６に記載の装置において、
前記治療剤が、クェルセチンを含む、装置。
【請求項２９】
請求項２６に記載の装置であって、
前記治療剤が、植物療法剤を含む、装置。
【請求項３０】
請求項２６に記載の装置であって、
前記治療剤が、抗炎症剤を含む、装置。
【請求項３１】
請求項２６に記載の装置であって、
前記治療剤が、抗生物質を含む、装置。
【請求項３２】
請求項２６に記載の装置であって、
前記治療剤が、フィナステライドを含む、装置。
【請求項３３】
伸縮可能治療用バルーンを有する１セットの前立腺治療用カテーテルであって、
前記伸縮可能治療用バルーンが、男性の尿道に挿入されるように大きさを定められ、構成された、柔軟性カテーテル上に構成され、
前記治療用バルーンが、動作中に、選択された治療用バルーンが、前記対象の前記前立腺尿道内に精丘の上に位置するように、約１ｃｍから６ｃｍまで０．５ｃｍの増分で大きさを定められる、１セットの前立腺治療用カテーテル。
【請求項３４】
請求項３３に記載の１セットの治療用カテーテルであって、
前記治療用バルーンが、所望の治療期間において繰り返し横方向に膨張及び収縮して熱を放射するよう構成された熱マッサージ治療用バルーンである、１セットの治療用カテーテル。
【請求項３５】
請求項３３に記載の１セットの治療用カテーテルであって、
前記カテーテルが、その内部で、加熱された流体を循環させ、これに応答して前記治療用バルーンを拍動させるように構成される、１セットの治療用カテーテル。
【請求項３６】
前立腺炎の熱マッサージ治療を制御するためのコンピュータプログラム製品であって、前記熱マッサージ治療が、加熱器と、ポンプと、経尿道カテーテルであって、男性の尿道を通じて挿入されるように構成され、大きさを定められ、外方に向けて伸縮可能な治療用バルーンを有する、経尿道カテーテルと、を含む閉ループシステムにより実行され、前記治療用バルーンが、動作中には、前記カテーテルが前記伸縮可能治療用バルーンを介して、加熱された流体を循環する間に繰り返し膨張及び収縮して近い位置に位置する組織をマッサージするよう構成され、前記コンピュータプログラム製品が、
コンピュータが読み取り可能なプログラムコードを組み入れた、コンピュータが読み取り可能な保存媒体を有し、前記コンピュータが読み取り可能なプログラムコードが、
前記カテーテル内を循環する流体の温度を、前記伸縮可能治療用バルーンに移動するために前記カテーテルに入る前記流体の温度が約４０℃から４７℃になるように制御する、コンピューが読み取り可能なプログラムコードと、
前記熱マッサージ治療の期間を計時し、前記治療が約２０分間から１時間続くようにする、コンピュータが読み取り可能なプログラムコードと、
を有する、コンピュータプログラム製品。
【請求項３７】
請求項３６に記載のコンピュータプログラム製品であって、
前記バルーンのくみ上げ速度又は圧力の１つを変更することにより、前記伸縮可能治療用バルーンによって前記治療中に生成される前記マッサージを調整する、コンピュータが読み取り可能なプログラムコードを含む、コンピュータプログラム製品。
【請求項３８】
請求項３６に記載のコンピュータプログラム製品であって、
前記伸縮可能バルーンの膨張及び収縮の速度を調整し、前記伸縮可能バルーンによるマッサージ速度を調整する、コンピュータが読み取り可能なプログラムコードを含む、コンピュータプログラム製品。
【請求項３９】
請求項３６に記載のコンピュータプログラム製品であって、
前記熱マッサージ治療の時間及び温度を制御する前記コンピュータプログラムコードが、前記治療が、前記カテーテルに入る前に計測された温度で約４５℃で実行され、前記治療の期間が約３０分間から４０分間になるように構成される、コンピュータプログラム製品。
【請求項４０】
請求項３６に記載のコンピュータプログラム製品であって、
前記カテーテル内を循環する流体の温度を制御する、前記コンピュータが読み取り可能なプログラムコードが、前記膨張した治療用バルーンの温度が、前記熱マッサージ治療の大半において約４０℃から４７℃になり、前記治療の他の部分において、この温度範囲よりも高い上昇された温度になるように構成される、コンピュータプログラム製品。
【請求項４１】
請求項４０に記載のコンピュータプログラム製品であって、
前記熱マッサージ治療の期間を計時する前記コンピュータが読み取り可能なプログラムコードが、前記治療の大半部分が約２０分間から５０分間続くように計時し、前記治療の前記上昇された部分が約１分間から１０分間続くように計時し、各部分の和が約２１分間から１時間になるようにするコードを備える、コンピュータプログラム製品。
【請求項４２】
請求項４０に記載のコンピュータプログラム製品であって、
前記上昇された温度が、約５０℃から６０℃であり、関連する治療期間が、約１分間から１０分間であり、前記コンピュータプログラムが、上昇された温度が前記治療の開始部に発生し、前記治療の大半が、その後、約４０℃から４５℃の温度で実行されるように、前記上昇された温度の伝達を計時する、コンピュータプログラム製品。
【請求項４３】
請求項３６に記載のコンピュータプログラム製品であって、更に、
前記治療を受けている患者の入力に基づき、前記治療の際に、前記膨張されたバルーンによって提供される前記マッサージ圧力を少なくとも１０％増大させるコンピュータプログラムコードを備える、コンピュータプログラム製品。
【手続補正２】
【補正対象書類名】明細書
【補正対象項目名】発明の名称
【補正方法】変更
【補正の内容】
【発明の名称】前立腺炎の治療装置
【手続補正３】
【補正対象書類名】明細書
【補正対象項目名】０００２
【補正方法】変更
【補正の内容】
【０００２】
本発明は、前立腺炎を治療する装置に関する。